(57)【特許請求の範囲】
【請求項１】
操作ボックスの押しボタンを押すことによって開窓がおこなわれ、この操作ボックスのハンドル口にハンドルを取付してこのハンドルをドラム巻き取り方向に手動回転することによって閉窓操作をおこなう排煙およびまたは換気の窓開閉装置用操作ボックスの収納ケースにおいてこの操作ボックスをこの収納ケースに収納した時、この収納ケースの表蓋に装着され、しかも上記操作ボックスの押しボタン正面にあたる位置に設けられた小窓に対し押し込み動作可能に装着され、押し込み動作終了後は元の位置に復帰することを特徴とし、閉窓操作は上記収納ケースの表蓋を一旦開いてハンドルを取出し、上記操作ボックスのハンドル口にハンドルを取付してドラム巻き取り方向に手動回転することによっておこなわれることを特徴とする窓開閉装置の操作ボックス収納ケース小窓における小窓蓋
【請求項２】
操作ボックスの押しボタンを押すことによって開窓がおこなわれ、この操作ボックスのハンドル口にハンドルを取付してこのハンドルをドラム巻き取り方向に手動回転することによって閉窓操作がおこなわれる排煙およびまたは換気の窓開閉装置用操作ボックスの収納ケースにおいて上記操作ボックスをこの収納ケースに収納した時、この収納ケースの表蓋のうち上記操作ボックスの押しボタン正面にあたる位置に小窓が設けられ、この小窓に請求項１記載の小窓蓋が設けられていることを特徴とする窓開閉装置の操作ボックス収納ケース
【発明の詳細な説明】
【０００１】
【産業上の利用分野】
本発明は排煙およびまたは換気の窓開閉装置における操作ボックス収納ケース小窓に設けられた小窓蓋とこの小窓蓋が設けられてなる収納ケースに関するものである。
【０００２】
【従来の技術】
従来、設置義務の対象となっている窓開閉装置は火災時に発生する有毒煙や有毒ガスを速やかに強制排出するため、停電時でも動くこと、開窓時は迅速に開窓すること、閉窓時はハンドルの手動で行うことと消防法で規制されていた。そのため殆どの操作ボックスは手動によりワンタッチで開窓させるための開窓用の押しボタンと閉窓用のハンドルを備えている。開窓時ハンドル回転による危険を避けるためハンドルは操作ボックスと切り放し、操作ボックスにはハンドル口を設けて閉窓時にハンドル口にハンドルを差し込んで回転させるタイプが多く採用され、ハンドルを紛失させないことと景観を保つことを理由に操作ボックスとハンドルとを同時に収納する収納ケースが普及してきた。
【０００３】
収納ケース内に操作ボックスを設置する場合でも開窓の迅速性をはかるため、いちいちケースを開いて押しボタンによる開窓操作しなくて良いようにとケース内の押しボタン真正面の位置の蓋部分に小窓が設けられ、小窓から直接ボタンが押せるよう工夫されたものが多く、更にこの小窓に透明なプラスチック板加工で緊急時には小さな力で容易に壊れる割り板と称する部材が設けられて押しボタンを保護し、また収納ケース内部に埃が侵入するのを防止していた。
【０００４】
ところが今日ではこの排煙用窓開閉装置が更に空気清浄化あるいは直射日光の取り入れのためにも用いられるようになってきて、排煙換気窓開閉装置となってきている。
【０００５】
【発明が解決しようとする課題】
従来通りの排煙用窓開閉装置であれば火災発生時に緊急的に用いるものであり、火災発生するケースは希であるため、操作ボックス収納ケースの小窓には従来通りのプラスチックの割り板を設けることで十分に割り板の機能が果たされ、運わるくして割り板を壊した時は交換回数は微々たるものであるためすぐに交換すればよかった。
【０００６】
ところが上記の窓開閉装置が次第に換気機能を付加されて用いられてくると開窓操作は毎日のように行われ、場合によっては日に数回も操作が行われることになる。そのようになってくると今まで、押しボタンの保護と埃侵入の機能を果たしていた割り板はその度に交換しなければならず、数多くの割り板が必要となるという不都合が出来湧き、そのため面倒な割り板の取付は次第に為されなくなり、さらにそのために収納箱内部に埃が溜まり始め、操作ボックスの機能を害するという問題点が生じてきた。
【０００７】
本発明はこれらの問題点を解決することを目的として提供されたものである。
【０００８】
【課題を解決するための手段】
本発明は従来用いられてきた割り板を壊さなくて済むよう工夫することによって問題点を解決した。即ち本発明は一つには操作ボックスの押しボタンを押すことによって開窓がおこなわれ、この操作ボックスのハンドル口にハンドルを取付してこのハンドルをドラム巻き取り方向に手動回転することによって閉窓操作をおこなう排煙およびまたは換気の窓開閉装置用操作ボックスの収納ケースにおいてこの操作ボックスをこの収納ケースに収納した時、この収納ケースの表蓋に装着され、しかも上記操作ボックスの押しボタン正面にあたる位置に設けられた小窓に対し押し込み動作可能に装着され、押し込み動作終了後は元の位置に復帰することを特徴とし、閉窓操作は上記収納ケースの表蓋を一旦開いてハンドルを取出し、上記操作ボックスのハンドル口にハンドルを取付してドラム巻き取り方向に手動回転することによっておこなわれることを特徴とする窓開閉装置の操作ボックス収納ケース小窓における小窓蓋であり、また一つは操作ボックスの押しボタンを押すことによって開窓がおこなわれ、この操作ボックスのハンドル口にハンドルを取付してこのハンドルをドラム巻き取り方向に手動回転することによって閉窓操作がおこなわれる排煙およびまたは換気の窓開閉装置用操作ボックスの収納ケースにおいて上記操作ボックスをこの収納ケースに収納した時、この収納ケースの表蓋のうち上記操作ボックスの押しボタン正面にあたる位置に小窓が設けられ、この小窓に上記説明した小窓蓋が設けられていることを特徴とする窓開閉装置の操作ボックス収納ケースである。
【０００９】
本発明において小窓に対し押し込み動作可能とは指あるいは指に類似する器具等で真っ直ぐに押し込んだ場合、例えば板ゴムのように指等に押し込まれて同方向に動く動作と例えば小窓蓋の端部を支点にして回動自由に動く動作があるが、本発明で言う押し込み動作はこの両者を包含するものであり、その動作が可能と定義したものである。
【００１０】
収納ケースは操作ボックスが容易に固着出来、しかもケース表側が開閉容易なものが好ましく、小窓蓋は硬いプラスチックでも良いし、シリコンゴム、天然ゴム、合成ゴム等の柔らかいゴム質のものでもよく、ゴム質の場合は元の位置に復帰可能のために弾性範囲内で用いることが好ましく、小窓蓋は押し込んだ際、元の位置に復帰可能な構成あるいは材料であればどのようなものが用いられても良い。
【００１１】
また、小窓蓋には例えば押の一文字表示とか、他の部分とは別色表示とか、あるいは特殊な表面形状を施す等の工夫を凝らし、該小窓蓋が開窓操作に連携していることを誰にでも分かり易く表示されていることが好ましい。
【００１２】
次に動作を説明すると、本発明の小窓蓋と収納ケースは操作ボックスの押しボタン正面の位置に小窓があるため、この小窓から指を押し込むことにより、小窓に押し込み動作可能に装着されてなる小窓蓋は押し込まれ、小窓蓋あるいは指が直接操作ボックスの押しボタンを押して開窓動作を行うことになる。開窓動作を終えて指を小窓から離すと小窓蓋は元の位置に復帰するように構成されてなるため自動的に元の位置に復帰して小窓の蓋をすることになる。
【００１３】
また、閉窓操作はハンドルによってなされる。次にまた開窓操作を行うには上記した操作を繰り返せばよい。何度繰り返しても小窓蓋は同じ動作を繰り返し、そのため小窓蓋は固定して嵌め込まれた従来の割り板のように一度で壊れることはなく、連続使用が可能となる。
【００１４】
【作用】
操作ボックスの押しボタン正面の位置に収納ケースの小窓があるため、小窓から指を押し込むことにより、小窓に押し込み動作可能に装着されてなる小窓蓋は押し込まれ、小窓蓋あるいは指が直接押しボタンを押して開窓動作を行うことになる。開窓動作を終えて指を小窓から離すと小窓蓋は元の位置に復帰するように構成されてなるため自動的に元の位置に復帰して小窓の蓋をすることになる。
【００１５】
【実施例】
［実施例１］図１は実施例１の収納ケースで、既に操作ボックスが設置されて開窓装置がセッティングされ、ハンドルが収納された後、表蓋を開いた時の正面図、図２は図１の表蓋を閉じ、指での操作を行った時の主要部の拡大側面図である。
【００１６】
図１、図２において実施例１の収納ケース（１）はみと表蓋の二つの要素から成り、みと表蓋は四角形の一辺を軸に開閉自在に構成されている。該表蓋にはみの部分に操作ボックス（２）が設置された時、操作ボックス（２）に備えられた押しボタン（３）の正面にあたる位置に小窓（４）が設けられて成り、表蓋の裏側の小窓（４）の位置に上辺部を軸芯として回動自在に小窓蓋（５）が装着されてなり、表蓋の裏側と小窓蓋（５）の裏側には軸芯を介してキックバネ（６）、（６）が嵌め込まれ、小窓蓋（５）は常時キックバネ（６）によって表蓋裏側に圧接され、小窓（４）を塞ぐように構成されている。
【００１７】
すべてのセッティングを終えて、収納ケースの表蓋を開くと、図１に示す如くとなる。ハンドル（１０）は操作ボックス（２）と切り放され、収納ケース（１）内の止具（図示せず）に挟んで収納される。
【００１８】
次に動作を説明すると、開窓操作を行うため小窓（４）に指（７）を突っ込むと、小窓蓋（５）は押しボタン（３）側に軸芯を支点にして回動し、さらに指が押し込まれると小窓蓋（５）の先端が押しボタン（３）を押し、押しボタン（３）動作によって操作ボックス（２）内にあるドラム（図示せず）に捲かれたフレキシブルワイヤー（８）がゆるめられて開窓運動がおこなわれる。
【００１９】
指（７）を小窓（４）から離すと小窓蓋（５）裏の軸芯を介して嵌め込まれたキックバネ（６）によって元の位置まで復帰し、表蓋裏側に圧接されて小窓（４）に蓋をすることになる。
【００２０】
次に閉窓操作を行うためにはまず収納ケース（１）の表蓋を開き、収納ケース（１）内に収納されているハンドル（１０）を止具（図示せず）からはずして操作ボックス（２）に備えられたハンドル口（９）にさしこみ、ハンドル（１０）をドラム捲き取り方向に手動回転させればフレキシブルワイヤー（８）は次第にドラム（図示せず）に捲き取られて窓は閉まって行く。すべての操作を終えるとハンドル（１０）を元通りに収納し、収納ケースの表蓋を閉めればよい。
【００２１】
次にまた開窓操作を行うには上記した操作を繰り返せばよい。何度繰り返しても小窓蓋は同じ動作を繰り返し、そのため小窓蓋は固定して嵌め込まれた従来の割り板のように一度で壊れることはなく、連続使用が可能である。
【００２２】
［実施例２］図３は実施例２の主要部の拡大側面図である。収納ケース（１）形状は実施例１と同様ものを用い、実施例１とは小窓蓋が異なる収納ケース（１）である。実施例２の小窓蓋（５）は操作ボックス（２）が設置された時、押しボタン（３）の正面にあたる位置に設けられた小窓に直接嵌め込み可能にしたものであり、周囲を厚い合成ゴムで枠体が形成され、該枠体内には薄膜状のゴムが用いられて一体成形されたものであり、該枠体の外周部には小窓に直接嵌め込み出来るように小窓と同形状の溝が彫られて成る。
【００２３】
実施例２は正面図を省略したが小窓の正面形状は丸形でも角形でもよく、収納ケースに似合った形状にすればよく、小窓蓋形状も枠内が展性に富むよう薄膜状にするという基本的なルールを守りさえすれば外形枠形状は小窓に嵌め込み可能な形状であれば良い。また、使用環境によっては合成ゴムをシリコンゴムあるいはその他の弾性回復可能で整形し易い材料に変更しても良い。
【００２４】
次に動作を説明すると、開窓操作を行うには小窓に嵌め込まれた小窓蓋（５）の薄膜ゴム部を指で押し込めば良い。指で押し込まれることにより小窓蓋（５）の薄膜ゴム部は次第にのびて指先端がゴムと共に直接押しボタン（３）を押す。押しボタン（３）が押されると操作ボックス（２）内にあるドラム（図示せず）に捲かれたフレキシブルワイヤー（８）がゆるめられて開窓運動がおこなわれる。
【００２５】
指を小窓から離すと小窓蓋（５）の薄膜部は弾性回復して元の位置まで復帰し、そのまま小窓の蓋をすることになる。
【００２６】
閉窓操作は実施例１と同様である。
【００２７】
［実施例３］図４は実施例３の主要部の拡大側面図である。収納ケース（１）形状は実施例１と同様ものを用い、実施例１とは小窓蓋が異なる収納ケース（１）である。実施例３の小窓蓋（５）は操作ボックス（２）が設置された時、押しボタン（３）の正面にあたる位置に設けられた小窓を裏側から塞ぐことが出来るよう構成したものであり、小窓蓋（５）を曲げ弾性回復可能な合成ゴムで作り、小窓形状に合わせて成形し、下部でボルト止めされたものである。
【００２８】
開窓操作は実施例１、実施例２と同様で小窓蓋（５）を押し込むだけで良く、指を小窓から離すとボルト部を支点にして曲げられた小窓蓋（５）は弾性回復して元の位置に戻る。また閉窓操作も実施例１、実施例２と同様である。
【００２９】
【発明の効果】
本発明の窓開閉装置の操作ボックス収納ケースは操作ボックスと分離されたハンドルとを同時に収納することが出来るため、ハンドルの紛失を防ぐことが出来ると共に景観を保つことが出来る。
【００３０】
また、収納ケースの小窓が操作ボックスの押しボタン正面の位置にあり、小窓蓋は押し込み可能に装着されてなるため、わざわざ収納ケースを開けなくとも小窓から小窓蓋を指で押し込むだけで、直接開窓動作を行うことが出来、迅速な開窓動作を行うことが出来る。
【００３１】
また、小窓蓋は押し込み動作終了後は元の位置に復帰するように構成されてなるため、指を小窓から離すと自動的に元の位置に復帰して小窓の蓋をすることになり、埃の侵入を防ぐことが出来る。
【００３２】
更にまた、この小窓蓋は何度繰り返し操作しても同じ動作を繰り返すため、従来のプラスチック割り板のように一回限り度で壊れることはなく、連続使用が可能である。
【図面の簡単な説明】
【図１】表蓋を開いた時の正面図
【図２】図１の主要部の拡大側面図
【図３】実施例２の主要部の拡大側面図
【図４】実施例３の主要部の拡大側面図
【符号の説明】
１  収納ケース
２  操作ボックス
３  押しボタン
４  小窓
５  小窓蓋
６  キックバネ
７  指
８  フレキシブルワイヤー
９  ハンドル口
１０  ハンドル
【図１】
0003613776.tif 000002
【図２】
0003613776.tif 000003
【図３】
0003613776.tif 000004
【図４】
0003613776.tif 000005